(57)【特許請求の範囲】
【請求項１】
放送衛星から送信されるＢＳディジタル放送電波を受信すると共に、該受信電波を、元の周波数よりも低く、且つ、地上のテレビ放送に割り当てられたＶＨＦ帯及びＵＨＦ帯の放送周波数よりも高い所定周波数帯のＢＳディジタル受信信号に周波数変換して出力するＢＳアンテナをヘッドエンドに備え、該ＢＳアンテナからのＢＳディジタル受信信号と、他のテレビ放送信号とを、共通の伝送線を介して、複数の加入者側端末まで伝送するＣＡＴＶシステムにおいて、
前記ヘッドエンド側に、前記ＢＳアンテナからのＢＳディジタル受信信号を、１又は連続する複数チャンネルからなるグループに分け、各グループのＢＳディジタル受信信号を、夫々、前記テレビ放送信号用に割り当てられているＵＨＦ帯より低い所定周波数帯の第１ＢＳ中間周波信号に一旦周波数変換し、その後、該第１ＢＳ中間周波信号を、前記ＵＨＦ帯の周波数領域であって、且つ、前記テレビ放送信号と重複することのない所定周波数帯の第２ＢＳ中間周波信号に周波数変換して前記伝送線上に送出するダウンコンバータを設け、
前記各加入者側の伝送線上に、前記ヘッドエンドから伝送されてきた前記各グループの第２ＢＳ中間周波信号を、夫々、前記ＢＳアンテナから出力された元の周波数帯のＢＳディジタル受信信号に周波数変換すると共に、該周波数変換後の各ＢＳディジタル受信信号を混合して加入者側端末へと送出するアップコンバータを設けたことを特徴とするＣＡＴＶシステム。
【請求項２】
前記ダウンコンバータは、
前記ＢＳディジタル受信信号の各チャンネルに対応した前記第１ＢＳ中間周波信号が、夫々、連続して配列するように、前記ＢＳディジタル受信信号から前記第１ＢＳ中間周波信号への周波数変換を行い、
該周波数変換された第１ＢＳ中間周波信号を、全チャンネル分まとめて前記第２ＢＳ中間周波信号に周波数変換する
ことを特徴とする請求項２記載のＣＡＴＶシステム。
【請求項３】
前記ダウンコンバータは、
前記各グループのＢＳディジタル受信信号から前記第１ＢＳ中間周波信号への周波数変換を、前記各ＢＳディジタル受信信号の変調極性を反転させず正極性となるよう行う
ことを特徴とする請求項１又は２記載のＣＡＴＶシステム。
【請求項４】
請求項１〜３いずれかに記載のＣＡＴＶシステムにおいて、前記ヘッドエンド側に設けられるダウンコンバータであって、
前記ＢＳアンテナからのＢＳディジタル受信信号を、１又は連続する複数チャンネルからなるグループに分けるＢＳディジタル受信信号抽出手段と、
該ＢＳディジタル受信信号抽出手段にて抽出された各グループのＢＳディジタル受信信号を、夫々、前記テレビ放送信号用に割り当てられているＵＨＦ帯より低い所定周波数帯の第１ＢＳ中間周波信号に周波数変換する複数の第１周波数変換手段と、
該複数の第１周波数変換手段にて周波数変換された複数の第１ＢＳ中間周波信号を、夫々、前記ＵＨＦ帯の周波数領域であって、且つ、前記テレビ放送信号と重複することのない所定周波数帯の第２ＢＳ中間周波信号に周波数変換する１又は複数の第２周波数変換手段と、
を備えたことを特徴とするダウンコンバータ。
【請求項５】
請求項１〜３いずれかに記載のＣＡＴＶシステムにおいて、各加入者側の伝送線上に設けられるアップコンバータであって、
前記ヘッドエンドからの伝送信号の中から前記各グループの第２ＢＳ中間周波信号を抽出するＢＳ中間周波信号抽出手段と、
該ＢＳ中間周波信号抽出手段にて抽出された各グループの第２ＢＳ中間周波信号を、夫々、前記ＢＳアンテナから出力された元の周波数帯のＢＳディジタル受信信号に周波数変換し、該周波数変換された各ＢＳディジタル受信信号を混合して加入者側端末へと送出する第３周波数変換手段と、
を備えたことを特徴とするアップコンバータ。
【請求項６】
前記アップコンバータは、前記加入者側の伝送線上に単体で設置されていることを特徴とする請求項５記載のアップコンバータ。
【請求項７】
前記アップコンバータは、前記加入者側の伝送線上に、前記伝送信号を端末側に伝送する伝送用機器の一つとして設置可能に構成されていることを特徴とする請求項５記載のアップコンバータ。
【発明の詳細な説明】
【０００１】
【発明の属する技術分野】
本発明は、放送衛星（ＢＳ）からのＢＳディジタル放送用送信電波を受信するＢＳアンテナからのＢＳディジタル受信信号を地上のテレビ放送信号と共に端末側に伝送するＣＡＴＶシステム、及び、このＣＡＴＶシステムにてＢＳディジタル受信信号を端末側に伝送するのに好適なダウンコンバータ並びにアップコンバータに関する。
【０００２】
【従来の技術】
従来より、ヘッドエンドに、地上のテレビ放送信号を受信するテレビ受信アンテナと、放送衛星（ＢＳ）からの送信電波を受信するＢＳアンテナとを設け、これら各受信アンテナからの受信信号を、共通の伝送線（一般に同軸ケーブル）を介して端末側に伝送するように構成されたＣＡＴＶシステムが知られている。
【０００３】
ＢＳアンテナの受信部には、ＢＳ受信信号を同軸ケーブル等を使って伝送できるように、通常、ＢＳアンテナにて受信されるＢＳ受信信号（ＢＳから送信されてくる十数ＧＨｚ帯の送信電波）を、１ＧＨｚ〜２ＧＨｚ程度のＢＳ受信信号（以下「ＢＳ−ＩＦ信号」ともいう）に周波数変換（ダウンコンバート）するコンバータが設けられているが、こうしたＢＳアンテナからのＢＳ−ＩＦ信号（例えばＢＳ−５，７，９，１１ｃｈのＢＳ−ＩＦ信号）は、地上のテレビ放送信号に比べて周波数が高いことから、伝送線上に設置される増幅器等の伝送用機器が地上のテレビ放送信号を伝送するように設計された既存のＣＡＴＶシステムでは、伝送することができない。
【０００４】
たとえ伝送線上に設置する伝送用機器にＢＳ−ＩＦ信号を伝送可能なものを使用したとしても、伝送線を流れることによって生じる伝送損失が大きくなり、ＢＳ−ＩＦ信号を適正レベルで伝送するには、高レベルの増幅特性を有する高価な増幅器が必要となる。
【０００５】
そこで、従来より、地上のテレビ放送信号を伝送するように設計された既存のＣＡＴＶシステムでもＢＳ受信信号を伝送でき、しかも、ＢＳ受信信号を低損失で伝送できるようにするために、ヘッドエンド側に、ＢＳ−ＩＦ信号を、一旦、テレビ放送信号の周波数帯まで落とすダウンコンバータを設けて、このダウンコンバータにて周波数変換したＢＳ受信信号を端末側に伝送し、端末側で再び元のＢＳ−ＩＦ信号に周波数変換（アップコンバート）することが考えられている。
【０００６】
ところで、従来のアナログＢＳ放送（ＢＳ−５，７，９，１１ｃｈ）に加え、平成１２年１２月より、ＢＳディジタル放送が本格的に開始された。これに伴い、ＣＡＴＶサービスの加入者がＢＳディジタル放送も良好に視聴できるよう、ＢＳディジタル放送の各チャンネル（ＢＳ−１，３，１３，１５ｃｈ）に対応したＢＳ−ＩＦ信号についても、一旦テレビ放送信号の周波数帯のＢＳディジタル受信信号（以下、ＢＳ中間周波信号ともいう）まで落としてから伝送線を介して端末側に伝送する必要がある。
【０００７】
そこで、本願出願人は、既存のＣＡＴＶシステムにおいて伝送可能な周波数帯域（一般に７０〜７７０ＭＨｚ）のうち、既に、ＶＨＦ帯（９０〜２２２ＭＨｚ）が主に地上波アナログ放送信号に割り当てられ、４５１．２５ＭＨｚがパイロット信号に割り当てられ、更にＵＨＦ帯（４７０ＭＨｚ以上）が、近い将来、地上波ディジタル放送信号に割り当てられることになっていること等を考慮し、ＢＳディジタル放送４チャンネル分のＢＳ−ＩＦ信号を、ダウンコンバータで２２２〜４７０ＭＨｚのスーパーハイバンド帯（以下「ＳＨＢ帯」と称す）に周波数変換して伝送線上へ送出することを考えた。
【０００８】
ところが、地上波アナログ放送信号以外の他の信号（例えば有料放送や自主放送、或いは将来予定される地上波ディジタル放送など）をどの周波数帯域を利用して伝送するかは、ＣＡＴＶ局によって異なる場合が多い。そのため、ＣＡＴＶ局によっては、ＳＨＢ帯を既に上記のようなＢＳディジタル放送以外の他の放送信号伝送用に使用していている場合もあり、そのような場合、ＳＨＢ帯を利用してＢＳディジタル受信信号を全て伝送することができないおそれがある。
【０００９】
そのため、ＳＨＢ帯を他の放送信号伝送用に使用している場合は、４７０〜７７０ＭＨｚのＵＨＦ帯のうち、他の放送信号伝送用に使用していない帯域（例えば６００ＭＨｚ以上の高帯域）のＢＳ中間周波信号に変換して端末側に伝送することが考えられる。
【００１０】
しかしながら、ＢＳ−ＩＦ信号を周波数変換するにあたっては、ＢＳ−ＩＦ信号を直接ＳＨＢ帯に変換するのは可能であるものの、上記のようにＵＨＦ帯に直接変換するのは、実際上困難であるという問題があった。以下、このことについて具体的に説明する。
【００１１】
ＢＳディジタル放送信号は、周知の通り各チャンネル毎にその占有周波数帯域が決まっている（１チャンネル当たり２７ＭＨｚ、隣接するチャンネルの中心周波数相互間が３８．３６ＭＨｚ）。このように帯域の定められた複数の信号を夫々周波数変換し、変換後に、隣接する他のチャンネルの影響を受けることなく各チャンネルに対応した帯域のみを確実に抽出するために、通常、ダウンコンバータによる周波数変換の過程で、変換後の各チャンネルの周波数成分のみを確実に抽出して隣接チャンネルへの妨害をより少なくするための特性の良好なバンドパスフィルタ（以下「ＢＰＦ」と称す）が用いられる。そして、このようなＢＰＦとして、通常、帯域通過特性が良好、つまり減衰域から通過域への減衰量の立ち下がり（或いは通過域から減衰域への減衰量の立ち上がり）がより急峻な特性を示すＳＡＷ（surface acoustic wave：表面弾性波）フィルタを使用している。
【００１２】
しかし、ＳＡＷフィルタにてバンドパスフィルタを構成しても、周波数帯域が高くなるほど帯域通過特性が低下する傾向があるため、例えばＵＨＦ帯域より低い周波数帯域の信号をフィルタリングする場合は、上記目的（各チャンネル毎のＢＳ中間周波信号の抽出）を満足する良好な特性を得ることができるが、ＵＨＦ帯以上の周波数帯域を確実にフィルタリングできるような特性良好なＳＡＷフィルタが実現できない。そのため、ＢＳ−ＩＦ信号を直接ＵＨＦ帯のＢＳ中間周波信号に変換することは困難なのである。
【００１３】
そこで、例えば図１３に示すように、ＢＳディジタル放送４チャンネルに対応したＢＳ−ＩＦ信号を、各チャンネル毎に一旦１４０ＭＨｚの信号（ＩＦ１）に変換し、次にそのＩＦ１を各チャンネル毎に７０ＭＨｚの信号（ＩＦ２）に変換し、更にそのＩＦ２を、ＣＡＴＶ伝送用周波数配列（Ａ〜Ｎ）において連続する４チャンネルＫ，Ｌ，Ｍ，Ｎに夫々変換して、伝送線上に送出することが提案されている。尚、チャンネルＡ〜Ｎは、ＳＨＢ帯〜ＵＨＦ帯（２２２〜７７０ＭＨｚ）において実現可能なＢＳ中間周波信号の配列を示すものであり、各チャンネルの間隔及び占有帯域幅はＢＳ−ＩＦ信号と同じである。
【００１４】
このようにすれば、仮にＳＨＢを既に他の放送信号伝送用に使用している場合でも、ＵＨＦ帯においてチャンネルＫ〜Ｎ等の未使用帯域があればそこを利用して伝送することができる。
【００１５】
【発明が解決しようとする課題】
しかしながら、図１３で説明したような方法では、ＢＳ−ＩＦ信号を一旦ＵＨＦ帯より低い周波数（ＳＡＷフィルタの特性良好な帯域）に変換した上で最終的にＵＨＦ帯に変換するため、ＢＳディジタル受信信号をＵＨＦ帯を利用して端末側へ伝送することが可能であるが、このような変換を実現するためには、ヘッドエンドにおいて図１４に示したような複雑な構成のダウンコンバータが必要になる。
【００１６】
即ち、図１４のダウンコンバータは、４チャンネル分のＢＳ−ＩＦ信号を分配器１５３にて４分配し、その分配出力を夫々、まず各ダウンコンバータユニット１４１〜１４４にてＩＦ１（１４０ＭＨｚ）に変換し、続いて各ダウンコンバータユニット１４５〜１４８にてＩＦ１をＩＦ２（７０ＭＨｚ）に変換し、更に各アップコンバータユニット１４９〜１５２にてＩＦ２をチャンネルＫ〜Ｎの周波数帯域に夫々周波数変換して、最終的に混合器１５４で再び混合して出力する。
【００１７】
つまり、一つのチャンネルにつき周波数変換を３回行うトリプルコンバージョン方式となっており、３回分のダウン／アップコンバータユニットが必要になる。しかも、各チャンネルを個々に周波数変換しているため、各チャンネル毎に上記のようなダウン／アップコンバータユニットが必要となる。
【００１８】
そのため、ＢＳ−ＩＦ信号をＢＳ中間周波信号に変換するためのダウンコンバータが非常に複雑化し、コスト的にも非常に高価なものになってしまう。
本発明は、上記課題に鑑みなされたものであり、ＢＳディジタル放送に対応したＢＳ−ＩＦ信号を、地上のテレビ放送に割り当てられたＵＨＦ帯の放送周波数に変換して端末側へ伝送するＣＡＴＶシステムにおいて、ＢＳ−ＩＦ信号からＵＨＦ帯への周波数変換をより効率的に行うことを目的とする。
【００１９】
【課題を解決するための手段及び発明の効果】
上記課題を解決するためになされた請求項１記載のＣＡＴＶシステムは、放送衛星から送信されるＢＳディジタル放送電波を受信すると共に、該受信電波を、元の周波数よりも低く、且つ、地上のテレビ放送に割り当てられたＶＨＦ帯及びＵＨＦ帯の放送周波数よりも高い所定周波数帯のＢＳディジタル受信信号に周波数変換して出力するＢＳアンテナをヘッドエンドに備え、該ＢＳアンテナからのＢＳディジタル受信信号と、他のテレビ放送信号とを、共通の伝送線を介して、複数の加入者側端末まで伝送するように構成されたものである。
【００２０】
そして、ヘッドエンド側のダウンコンバータにおいて、ＢＳアンテナからのＢＳディジタル受信信号を１又は連続する複数チャンネルからなるグループに分け、各グループ毎に夫々テレビ放送信号用に割り当てられているＵＨＦ帯より低い所定周波数帯（例えば４７０ＭＨｚ未満）の第１ＢＳ中間周波信号に一旦周波数変換し、その後、該第１ＢＳ中間周波信号を、ＵＨＦ帯の周波数領域（例えば４７０〜７７０ＭＨｚ）であって、且つ、テレビ放送信号と重複することのない所定周波数帯の第２ＢＳ中間周波信号に周波数変換して伝送線上に送出する。
【００２１】
各加入者側の伝送線上に設けられたアップコンバータでは、ヘッドエンドから伝送されてきた各グループの第２ＢＳ中間周波信号を、夫々、元の周波数帯のＢＳディジタル受信信号に周波数変換すると共に、周波数変換後の各ＢＳディジタル受信信号を混合して加入者側端末へと送出するように構成されている。
【００２２】
このため、上記構成のＣＡＴＶシステムによれば、ＢＳディジタル受信信号をＵＨＦ帯に周波数変換して伝送する際に一旦ＵＨＦ帯より低い帯域に変換してから更にＵＨＦ帯に周波数変換しており、そのＵＨＦ帯より低い帯域への変換の際に特性の良好なＳＡＷフィルタを使用して各チャンネル毎の信号を確実に抽出できるため、例えば従来技術で説明したようにＢＳディジタル受信信号（ＢＳ−ＩＦ信号）をＳＨＢ帯に周波数変換して端末側へ伝送できない場合でも、ＵＨＦ帯を利用して良好に伝送することができる。
【００２３】
ところで、請求項１記載のＣＡＴＶシステムにおけるダウンコンバータで、ＢＳアンテナからのＢＳディジタル受信信号を一旦第１ＢＳ中間周波信号に周波数変換する際、ＢＳディジタル受信信号の各チャンネルに対応した各第１ＢＳ中間周波信号が夫々どのような周波数帯域に変換されるかは任意であるが、例えば請求項２に記載したように、各第１ＢＳ中間周波信号が、夫々、連続して配列するようにＢＳディジタル受信信号から第１ＢＳ中間周波信号への周波数変換を行い、該周波数変換された第１ＢＳ中間周波信号を、全チャンネル分まとめて第２ＢＳ中間周波信号に周波数変換するようにするとよい。
【００２４】
ここでいう連続した配列とは、各第１ＢＳ中間周波信号が、ＢＳアンテナからのＢＳディジタル受信信号において隣接するチャンネル相互間の周波数間隔と同じ間隔で、相互に隣接して配列していることを意味する。
このように各第１ＢＳ中間周波信号が夫々連続して配列するように周波数変換し、その第１ＢＳ中間周波信号をまとめて（一括して）第２ＢＳ中間周波信号に周波数変換するように構成すれば、例えば第１ＢＳ中間周波信号を各グループ毎に第２ＢＳ中間周波信号に変換するのに比べ、変換用の手段（例えば図１４で説明したアップコンバータユニット）が一つですむ。そのため、ダウンコンバータの構成をより簡素化でき、ＣＡＴＶシステム全体をより効率的、経済的に構築することができる。
【００２５】
また、一般に、ＣＡＴＶシステムにおいてＢＳディジタル受信信号を伝送線上に送出する際は、各チャンネルのＢＳディジタル受信信号（例えばＰＳＫ変調波）の変調極性を負極性にして送信しなければならない旨の取り決めがある。そのため、本発明においても、ＢＳディジタル受信信号から第１ＢＳ中間周波信号への周波数変換又は第１ＢＳ中間周波信号から第２ＢＳ中間周波信号への周波数変換のいずれかにおいて、変調極性が反転するように周波数変換する必要がある。
【００２６】
この場合において、例えばＢＳディジタル受信信号を３００ＭＨｚ付近の帯域の第１ＢＳ中間周波信号に周波数変換する際に変調極性が負極性となるように変換すると、次にその３００ＭＨｚ付近の第１ＢＳ中間周波信号を例えば６００ＭＨｚ付近の第２ＢＳ中間周波信号に周波数変換（変調極性は反転せず）する際、その周波数変換に必要な基準信号（局部発振信号）が約３００ＭＨｚとなって第１ＢＳ中間周波信号の周波数帯域と重複してしまい、第１ＢＳ中間周波信号から第２ＢＳ中間周波信号への周波数変換を良好に行えなくなるおそれがある。
【００２７】
そこで、例えば請求項３に記載したように、ＢＳディジタル受信信号から第１ＢＳ中間周波信号への周波数変換は、各ＢＳディジタル受信信号の変調極性を反転させず正極性となるよう行うのがより好ましい。そして、第１ＢＳ中間周波信号から第２ＢＳ中間周波信号への周波数変換の際に変調極性を反転させるのである。このようにすれば、第１ＢＳ中間周波信号を第２ＢＳ中間周波信号に周波数変換（極性反転）する際に必要な基準信号の周波数がＵＨＦ帯より低い周波数帯域となるおそれがなく、第１ＢＳ中間周波信号から第２ＢＳ中間周波信号への周波数変換を良好に行うことができる。
【００２８】
そして、本発明のＣＡＴＶシステムにおいてヘッドエンド側に設けられるダウンコンバータは、具体的には、請求項４に記載のように、ＢＳディジタル受信信号抽出手段が、ＢＳアンテナからのＢＳディジタル受信信号を、１又は連続する複数チャンネルからなるグループに分け、複数の第１周波数変換手段が、ＢＳディジタル受信信号抽出手段にて抽出された各グループのＢＳディジタル受信信号を、夫々、テレビ放送信号用に割り当てられているＵＨＦ帯より低い所定周波数帯の第１ＢＳ中間周波信号に周波数変換し、更に１又は複数の第２周波数変換手段が、第１周波数変換手段にて周波数変換された複数の第１ＢＳ中間周波信号を、夫々、ＵＨＦ帯の周波数領域であって、且つ、テレビ放送信号と重複することのない所定周波数帯の第２ＢＳ中間周波信号に周波数変換するように構成されている。
【００２９】
また、本発明のＣＡＴＶシステムにおいて各加入者側に設けられるアップコンバータは、具体的には、請求項５記載のように、ＢＳ中間周波信号抽出手段が、ヘッドエンドからの伝送信号の中から各グループの第２ＢＳ中間周波信号を抽出し、第３周波数変換手段が、ＢＳ中間周波信号抽出手段にて抽出された各グループの第２ＢＳ中間周波信号を、夫々、ＢＳアンテナから出力された元の周波数帯のＢＳディジタル受信信号に周波数変換し、該周波数変換された各ＢＳディジタル受信信号を混合して加入者側端末へと送出するように構成されている。
【００３０】
ところで、本発明のＣＡＴＶシステムにおいて各加入者側に設けられるアップコンバータは、端末装置毎に設置（或いは端末装置に内蔵）するようにしてもいいが、このようにすると、端末装置の数だけアップコンバータが必要となり、例えば家庭内に複数のテレビ受信機を設置している場合は各テレビ受信機毎にアップコンバータを設置しなければならず、コスト的に大きな負担となる。
【００３１】
そこで、例えば請求項６に記載したように、アップコンバータは、加入者側の伝送線上に単体で設置されていてもよいし、また例えば、請求項７に記載したように、加入者側の伝送線上に、伝送信号を端末側に伝送する伝送用機器の一つとして設置可能に構成されていてもよい。ここでいう伝送用機器とは、例えば伝送線上に設置される分岐器，分岐増幅器，分配器，分配増幅器，延長増幅器，タップオフ等のことであり、また、例えば集合住宅や家庭内において、アップコンバータにて元のＢＳディジタル受信信号に変換した後、そのＢＳディジタル受信信号と他のテレビ放送信号とを混合して複数の端末装置に伝送するための混合器なども含む。
【００３２】
この様にアップコンバータが伝送線上に設けられている場合には、端末装置毎に設けられている場合に比べて個数が大幅に少なくなる。例えば、宅内において保安器の先（下り側）に分配器が設置されており、その先に複数（例えば２４個）の端末装置が接続されている場合、端末装置毎に設ければ複数（２４個）のアップコンバータが必要であるが、保安器と分配器との間に設ければ１個で足りる。また、保安器などの各種伝送機器に内蔵させれば、アップコンバータ単体の場合に比べて更にＣＡＴＶシステム全体を効率的且つ経済的に構築することができる。但しその場合、アップコンバータから各端末装置までは、ＢＳディジタル受信信号（例えば１．１〜１．３ＧＨｚ帯の高周波信号）を伝送可能な伝送線によって信号を伝送する必要がある。
【００３３】
【発明の実施の形態】
以下に、本発明の好適な実施形態を図面に基づいて説明する。
［第１実施形態］
図１は、本実施形態のＣＡＴＶシステムの概略構成を示すブロック図である。図１に示す如く、本実施形態のＣＡＴＶシステム１は、７０〜７７０ＭＨｚの信号を伝送可能に構成され、本発明のヘッドエンドとしてのＣＡＴＶセンター２から放送信号を送出し、伝送線（詳しくは、幹線，分岐線，分配線，引込線）１ａ及び伝送線１ａ上に設けられている幹線増幅器３，幹線分岐増幅器４，タップオフ５，保安器６を介して、当該ＣＡＴＶシステム１の加入者宅１ｂに放送信号を供給するものである。
【００３４】
ＣＡＴＶセンター２では、アンテナ９ａにて受信したＶＨＦ帯域（９０〜１０８ＭＨｚ，１７０〜２２２ＭＨｚ）の地上アナログ放送信号と、アンテナ９ｂにて受信したＵＨＦ帯域（４７０〜７７０ＭＨｚ）の地上アナログ放送信号とが、ヘッドエンド装置９を介して伝送線１ａ上に送出される。尚、本実施形態では、ＶＨＦ帯の地上アナログ放送信号はそのままの周波数で送出されるが、ＵＨＦ帯の地上アナログ放送信号は、ヘッドエンド装置９内部でＶＨＦ帯のうち未使用帯域に周波数変換されて送出される。
【００３５】
そして、本実施形態のＣＡＴＶセンター２には、放送衛星から送出される衛星放送信号を受信して、このうちＢＳディジタル放送信号（ＢＳ−１，３，１３，１５ｃｈ）を１０３０〜１１０７，１２６０〜１３３７ＭＨｚのＢＳディジタル受信信号（ＢＳ−ＩＦ信号）に周波数変換して出力するＢＳディジタルアンテナ１０ａと、そのＢＳ−ＩＦ信号をＵＨＦ帯の周波数帯域（本実施形態では約６１７〜７７１ＭＨｚ、詳細は後述）のＢＳ中間周波信号（第２ＢＳ中間周波信号、詳細は後述）に変換するＢＳディジタルダウンコンバータ１０とが備えられている。
【００３６】
ヘッドエンド装置９は、各アンテナ９ａ、９ｂからの信号を適宜周波数変換及びレベル設定して伝送線１ａ上に送出する周知のものであり、本実施形態では、ＢＳディジタルダウンコンバータ１０からの第２ＢＳ中間周波信号も上記各信号と混合して伝送線１ａ上に送出している。
【００３７】
尚、図示しないが、ヘッドエンド装置９には、幹線増幅器３等において伝送信号のレベル調整等に用いられる４５１．２５ＭＨｚのパイロット信号を生成するためのパイロット信号生成器も備えられており、この生成されたパイロット信号は、上記各放送信号に混合されて伝送線１ａ上に送出される。
【００３８】
伝送１ａ上を伝送されてきたＣＡＴＶセンター２からの伝送信号は、加入者宅１ｂ内のＢＳディジタルアップコンバータ３０に入力され、このうち地上アナログ放送信号（ＶＨＦ帯）はそのままテレビ受信機８に出力されるが、ＢＳディジタル放送に対応した各第２ＢＳ中間周波信号は、このＢＳディジタルアップコンバータ３０内で再び元のＢＳ−ＩＦ信号に周波数変換されてＢＳディジタルチューナー７へ出力され、ここで映像（Video）信号と音声（Audio）信号とに復調して、テレビ受信機８へ出力される。
【００３９】
次に、ＣＡＴＶセンター２に備えられたＢＳディジタルダウンコンバータ１０について、図２に基づいて説明する。図２は、ＣＡＴＶセンター２に備えられるＢＳディジタルダウンコンバータ１０の概略構成を示すブロック図である。
図２に示す様に、ＢＳディジタルダウンコンバータ１０では、まず、入力端子Ｔ１から入力され、増幅器１１にて増幅されたＢＳディジタル放送４チャンネル分のＢＳ−ＩＦ信号が、分配器１２によって２分配され、ローパスフィルタ（以下「ＬＰＦ」と称す）１３ａ及びハイパスフィルタ（以下「ＨＰＦ」と称す）１４ａに入力される。
【００４０】
ＢＳディジタル放送の４チャンネルに対応したＢＳ−ＩＦ信号の中心周波数は、夫々、１０４９．４８ＭＨｚ（ＢＳ−１）、１０８７．８４ＭＨｚ（ＢＳ−３）、１２７９．６４ＭＨｚ（ＢＳ−１３）、１３１８．００ＭＨｚ（ＢＳ−１５）であり、各チャンネルの周波数帯域幅はいずれも２７ＭＨｚである。（図４参照）
ＨＰＦ１４ａのカットオフ周波数は１２６０ＭＨｚであり、その出力はカットオフ周波数１３３７ＭＨｚのＬＰＦ１４ｂを経てミキサ１４ｃに入力される。また、ＬＰＦ１３ａのカットオフ周波数は１１０７ＭＨｚである。このため、ＬＰＦ１４ｂからはＢＳ−１３，１５の２チャンネルに対応する１２６０〜１３３７ＭＨｚのＢＳ−ＩＦ信号が出力され、ＬＰＦ１３ａからはそれ以外のＢＳ−１，３の２チャンネルに対応するＢＳ−ＩＦ信号（１０３０〜１１０７ＭＨ）が出力される。つまり、４チャンネル分のＢＳ−ＩＦ信号が、連続するチャンネルＢＳ−１，３からなるグループと、同じく連続するチャンネル１３，１５からなるグループとに、分けられたことになる。
【００４１】
そして、ＬＰＦ１３ａからの出力はミキサ１３ｃに出力され、ＬＰＦ１４ｂからの出力はミキサ１４ｃに入力される。又、ミキサ１３ｃには、局部発振器１３ｄから出力される７９６．１４ＭＨｚの第１局部発振信号が入力され、ミキサ１４ｃには、局部発振器１４ｄから出力される９４９．５８ＭＨｚの第２局部発振信号が入力される。
【００４２】
そして、ミキサ１３ｃは、１０３０〜１１０７ＭＨｚのＢＳ−ＩＦ信号を、７９６．１４ＭＨｚの第１局部発振信号を用いて周波数変換し、ＬＰＦ１３ｅ（カットオフ周波数：３０９ＭＨｚ）に入力する。すると、ＬＰＦ１３ｅからは、ＢＳ−１，３チャンネルに対応するＢＳ−ＩＦ信号の周波数を７９６．１４ＭＨｚ下げた（つまり変調極性を反転させない）第１ＢＳ中間周波信号（中心周波数が夫々２５３．３４ＭＨｚ，２９１．７０ＭＨｚ）が出力されることになる。
【００４３】
同様に、ミキサ１４ｃは、１２６０〜１３３７ＭＨｚのＢＳ−ＩＦ信号を、９４９．５８ＭＨｚの第２局部発振信号を用いて周波数変換し、ＬＰＦ１４ｅ（カットオフ周波数：３８６ＭＨｚ）に入力する。すると、ＬＰＦ１４ｅからは、ＢＳ−１３，１５チャンネルに対応するＢＳ−ＩＦ信号の周波数を９４９．５８ＭＨｚ下げた第１ＢＳ中間周波信号（中心周波数が夫々３３０．０６ＭＨｚ，３６８．４２ＭＨｚ）が出力されることになる。
【００４４】
ＬＰＦ１３ｅからの第１ＢＳ中間周波信号は、分配器１３ｆにて２分配され、各分配出力は夫々増幅器１３ｇ，１３ｋにて適宜増幅されて、ＳＡＷフィルタ１３ｈ，１３ｍに入力される。ＬＰＦ１４ｅからの第１ＢＳ中間周波信号についても同様であり、分配器１４ｆにて２分配され、各分配出力は夫々増幅器１４ｇ，１４ｋにて適宜増幅されて、ＳＡＷフィルタ１４ｈ，１４ｍに入力される。各ＳＡＷフィルタは、従来技術でも述べたように、所望のチャンネルに対応した第１ＢＳ中間周波信号のみを抽出すると共にそれ以外の隣接するチャンネルの周波数成分を確実にカットするために備えられたものである。
【００４５】
そのため、ＳＡＷフィルタ１３ｈ（通過可能帯域：２５３±１８ＭＨｚ）及びＬＰＦ１３ｊ（カットオフ周波数：２７１ＭＨｚ）を通過してくる信号は、ＢＳ−１チャンネルに対応した中心周波数２５３．３４ＭＨｚの第１ＢＳ中間周波信号（チャンネルＡともいう）であり、ＳＡＷフィルタ１３ｍ（通過可能帯域：２９１±１８ＭＨｚ）及びＬＰＦ１３ｎ（カットオフ周波数：３０９ＭＨｚ）を通過してくる信号は、ＢＳ−３チャンネルに対応した中心周波数２９１．７０ＭＨｚの第１ＢＳ中間周波信号（チャンネルＢともいう）であり、ＳＡＷフィルタ１４ｈ（通過可能帯域：３３０±１８ＭＨｚ）及びＬＰＦ１４ｊ（カットオフ周波数：３４８ＭＨｚ）を通過してくる信号は、ＢＳ−１３チャンネルに対応した中心周波数３３０．０６ＭＨｚの第１ＢＳ中間周波信号（チャンネルＣともいう）であり、ＳＡＷフィルタ１４ｍ（通過可能帯域：３６８±１８ＭＨｚ）及びＬＰＦ１４ｎ（カットオフ周波数：３８６ＭＨｚ）を通過してくる信号は、ＢＳ−１５チャンネルに対応した中心周波数３６８．４２ＭＨｚの第１ＢＳ中間周波信号（チャンネルＤともいう）である。
【００４６】
そして、これらチャンネルＡ，Ｂの各第１ＢＳ中間周波信号は混合器１３ｐにて混合され、ＨＰＦ１３ｑ（カットオフ周波数：２３４ＭＨｚ）及びＬＰＦ１３ｒ（カットオフ周波数：３１０ＭＨｚ）を経て混合器１５に入力される。チャンネルＣ，Ｄの各第１ＢＳ中間周波信号についても同様に、混合器１４ｐにて混合され、ＬＰＦ１４ｑ（カットオフ周波数：３８７ＭＨｚ）及びＨＰＦ１４ｒ（カットオフ周波数：３１０ＭＨｚ）を経て混合器１５に入力される。
【００４７】
混合器１５からは、チャンネルＡ〜Ｄの各第１ＢＳ中間周波信号が出力され、ＨＰＦ１６ａ（カットオフ周波数：２３４ＭＨｚ）及びＬＰＦ１６ｂ（カットオフ周波数：３８７ＭＨｚ）を経てミキサ１６ｃに入力される。ミキサ１６ｃには、局部発振器１６ｄから出力される１００５．３６ＭＨｚの第３局部発振信号も入力される。
【００４８】
そして、ミキサ１６ｃは、チャンネルＡ〜Ｄの各第１ＢＳ中間周波信号を、１００５．３６ＭＨｚの第３局部発振信号を用いて周波数変換し、ＨＰＦ１６ｅ（カットオフ周波数：６１７ＭＨｚ）に入力する。このミキサ１６ｃからの出力は、第３局部発振信号の周波数（１００５．３６ＭＨｚ）からチャンネルＡ〜Ｄの第１ＢＳ中間周波信号の周波数だけ下げた（つまり変調極性を反転して負極性にした）第２ＢＳ中間周波信号に周波数変換されたものとなり、より具体的には、ＢＳ−１対応のチャンネルＡが中心周波数７５２．０２ＭＨｚの帯域（チャンネルＮともいう）に変換され、ＢＳ−３対応のチャンネルＢが中心周波数７１３．６６ＭＨｚの帯域（チャンネルＭともいう）に変換され、ＢＳ−１３対応のチャンネルＣが中心周波数６７５．３ＭＨｚの帯域（チャンネルＬともいう）に変換され、ＢＳ−１５対応のチャンネルＤが中心周波数６３６．９４ＭＨｚの帯域（チャンネルＫともいう）に変換される。
【００４９】
このように周波数変換されたチャンネルＫ〜Ｎの第２ＢＳ中間周波信号は、ＨＰＦ１６ｅ及びＬＰＦ１６ｆ（カットオフ周波数：７７１ＭＨｚ）を経て増幅器１６ｇに入力され、増幅器１６ｇで適宜増幅したあと、利得制御器１６ｈに入力される。利得制御器１６ｈは、増幅器１６ｇからのチャンネルＫ〜Ｎの出力レベルが所定レベルになるように利得を制御（レベル減衰）するものであり、その出力は、出力端子Ｔ２から出力され、ヘッドエンド装置９へ入力されることになる。
【００５０】
つまり、ＢＳディジタルダウンコンバータ１０は、入力されたＢＳディジタル放送４チャンネル分のＢＳ−ＩＦ信号を、ＢＳ−１，３のグループとＢＳ−１３，１５のグループ（いずれも連続したチャンネル配列）に分け、前者をダウンコンバータユニット１３にてチャンネルＡ，Ｂの第１ＢＳ中間周波信号に周波数変換し、後者をダウンコンバータユニット１４にてチャンネルＣ，Ｄの第１ＢＳ中間周波信号に周波数変換する（いずれも変調極性は反転せず）。そして、チャンネルＡ〜Ｄの第１ＢＳ中間周波信号をまとめて、アップコンバータユニット１６にてチャンネルＫ〜Ｎの第２ＢＳ中間周波信号に周波数変換する（変調極性を負極性に反転する）のである。そのため、ヘッドエンド装置９からは、ＢＳディジタル放送の４チャンネルに対応したチャンネルＫ〜Ｎの第２ＢＳ中間周波信号が、伝送線１ａ上に送出される。
【００５１】
次に、ＢＳディジタルアップコンバータ３０について説明する。図３は、ＢＳディジタルアップコンバータ３０の概略構成を示すブロック図である。
図３に示す如く、ＢＳディジタルアップコンバータ３０では、入力端子Ｔ３から入力された伝送信号は、信号の一部を分岐する分岐器３１を介して出力端子Ｔ４から出力される。この出力は、テレビ受信機８に入力され、これにより加入者は地上テレビ放送を視聴することができる。
【００５２】
又、分岐器３１により分岐された伝送信号は、増幅器３２を介して分配器３３に入力され、分配器３３によって２分配され、各々ＬＰＦ４０ａ，ＨＰＦ４１ａに入力される。ＬＰＦ４０ａのカットオフ周波数は６９４ＭＨｚであり、その出力はカットオフ周波数６１７ＭＨｚのＨＰＦ４０ｂを経てミキサ４０ｃに入力される。また、ＨＰＦ４１ａのカットオフ周波数は６９４ＭＨｚであり、その出力はカットオフ周波数７７１ＭＨｚのＬＰＦ４１ｂを経てミキサ４１ｃに入力される。
【００５３】
このため、ＨＰＦ４０ｂからはＢＳ−１３，１５の２チャンネルに対応するチャンネルＫ，Ｌの第２ＢＳ中間周波信号が出力され、ＬＰＦ４１ｂからはそれ以外のＢＳ−１，３の２チャンネルに対応するチャンネルＭ，Ｎの第２ＢＳ中間周波信号が出力される。又、ミキサ４０ｃには、局部発振器４０ｄから出力される１９５４．９４ＭＨｚの第４局部発振信号が入力され、ミキサ４１ｃには、局部発振器４１ｄから出力される１８０１．５ＭＨｚの第５局部発振信号が入力される。
【００５４】
すると、ミキサ４０ｃからは、第４局部発振信号の１９５４．９４ＭＨｚからチャンネルＫ，Ｌの第２ＢＳ中間周波信号の周波数だけ夫々下げた（つまり変調極性を反転させて正極性に戻した）、ＢＳ−１３，１５チャンネルのＢＳ−ＩＦ信号が出力される。同様に、ミキサ４１ｃでも第５局部発振信号の１８０１．５ＭＨｚを用いてチャンネルＭ，Ｎの第２ＢＳ中間周波信号を周波数変換（変調極性を反転させて正極性に戻す）して、ＢＳ−１，３チャンネルのＢＳ−ＩＦ信号を出力する。
【００５５】
そして、ＢＳ−１３，１５チャンネルの各ＢＳ−ＩＦチ信号は、ＨＰＦ４０ｅ（カットオフ周波数：１２６０ＭＨｚ）及びＬＰＦ４０ｆ（カットオフ周波数：１３３７ＭＨｚ）を経て混合器３４に入力される。ＢＳ−１，３チャンネルの各ＢＳ−ＩＦ信号についても同様に、ＬＰＦ４１ｅ（カットオフ周波数：１１０７ＭＨｚ）及びＨＰＦ４１ｆ（カットオフ周波数：１０３０ＭＨｚ）を経て混合器３４に入力される。混合器３４からは、ＢＳ−１，３，１３，１５の各ＢＳ−ＩＦ信号が出力され、出力端子Ｔ５から外部（ＢＳディジタルチューナー７）へ出力される。
【００５６】
つまり、チャンネルＫ〜Ｎの第２ＢＳ中間周波信号は、チャンネルＫ，ＬとチャンネルＭ，Ｎとにグループ分けされ、前者はアップコンバータユニット４０にてＢＳ−１３，１５チャンネルのＢＳディジタル受信信号に周波数変換され、後者はアップコンバータユニット４１にてＢＳ−１，３チャンネルのＢＳディジタル受信信号に周波数変換される。
【００５７】
また、ＢＳディジタルアップコンバータ３０の動作用電源は、外部のＢＳディジタルチューナー７から出力端子Ｔ５を経て供給されるように構成されている。即ち、ＢＳディジタルチューナー７から供給される＋１５Ｖの直流電源は、出力端子Ｔ５から入力された後、コイル３５，３６及びコンデンサ３７からなる電源分離フィルタを通過して内部に供給される。この電源分離フィルタは、直流分のみを通過させて交流分をカットするためのものである。そして、電源分離フィルタを通過した＋１５Ｖの直流電源は、各ＡＶＲ３８，３９にも供給され、ＡＶＲ３８では＋５Ｖの電源を、ＡＶＲ３９では＋３．３Ｖの電源を、夫々生成して、内部の必要な部位に供給している。
【００５８】
ここで、本実施形態のＢＳディジタルダウンコンバータ１０におけるＢＳ−ＩＦ信号、第１ＢＳ中間周波信号、第２ＢＳ中間周波信号、及びＢＳディジタルアップコンバータ３０におけるＢＳ−ＩＦ信号の各周波数分布を、図４に示す。
図４に示す如く、本実施形態では、ＢＳディジタルアンテナ１０ａからのＢＳディジタル受信信号（ＢＳ−ＩＦ信号：ＢＳ−１，３，１３，１５チャンネル）を、ＳＨＢ帯における連続した４チャンネルＡ〜Ｄの第１ＢＳ中間周波信号に周波数変換し、続いてその第１ＢＳ中間周波信号を、ＵＨＦ帯の４チャンネルＫ〜Ｎの第２ＢＳ中間周波信号に周波数変換（変調極性反転）して、端末側へ送出する。そして、端末側のＢＳディジタルアップコンバータ３０で、この第２ＢＳ中間周波信号を再び元のＢＳ−ＩＦ信号に周波数変換（変調極性反転）している。
【００５９】
尚、図４において、各チャンネル近傍に記載の数値は、そのチャンネルの中心周波数（単位：ＭＨｚ）を表している（例えばチャンネルＡの中心周波数が２５３．３４ＭＨｚ）。
従って、本実施形態のＣＡＴＶシステム１によれば、ＢＳ−ＩＦ信号をＵＨＦ帯（チャンネルＫ〜Ｎ）に周波数変換して伝送する際に、一旦ＵＨＦ帯より低いＳＨＢ帯（チャンネルＡ〜Ｄ）に変換し、その後にＵＨＦ帯のチャンネルＫ〜Ｎに周波数変換しており、ＳＨＢ帯への変換の際には、特性の良好なＳＡＷフィルタを使用して各チャンネル毎の信号を確実に抽出できる。そのため、仮にＳＨＢ帯が他の信号伝送用に使用されていてＢＳディジタル受信信号伝送用に使用できない場合でも、ＵＨＦ帯を利用して良好に伝送することができる。
【００６０】
また、第１ＢＳ中間周波信号が、各チャンネル毎に夫々連続して配列（つまりチャンネルＡ〜Ｄに連続配列）するように周波数変換し、その第１ＢＳ中間周波信号をまとめて（一括して）第２ＢＳ中間周波信号（チャンネルＫ〜Ｎ）に周波数変換するようにしているため、例えば第１ＢＳ中間周波信号への周波数変換をチャンネルＡ，ＢとＤ，Ｅに変換した場合、第２ＢＳ中間周波信号への周波数変換を、二つのアップコンバータユニットにて行う（つまりチャンネルＡ，Ｂ用のアップコンバータユニットとチャンネルＤ，Ｅ用のアップコンバータユニットを備える）必要があるのに対し、上記実施形態では一つのアップコンバータユニット１６ですむ。そのため、ＢＳディジタルダウンコンバータ１０の構成をより簡素化でき、ＣＡＴＶシステム１全体をより効率的、経済的に構築することができる。
【００６１】
更に、上記実施形態では、ＢＳ−ＩＦ信号から第１ＢＳ中間周波信号への周波数変換を、変調極性を反転させることなく正極性のまま実行し、その後の第２ＢＳ中間周波信号への変換時に、変調極性を反転させて負極性としている。仮にＢＳ−ＩＦから第１ＢＳ中間周波信号への変換時に極性を反転させた場合、その後の第２ＢＳ中間周波信号への周波数変換時には、周波数変換に必要な局部発振信号がチャンネルＤの帯域に重複してしまい、チャンネルＤを第２ＢＳ中間周波信号へ良好に変換できない。
【００６２】
そのため、上記実施形態によれば、第１ＢＳ中間周波信号を第２ＢＳ中間周波信号に周波数変換（極性反転）する際に必要な基準信号の周波数がＵＨＦ帯より低い周波数帯域となるおそれがなく、第１ＢＳ中間周波信号から第２ＢＳ中間周波信号への周波数変換を良好に行うことができる。
【００６３】
ここで、本実施形態の構成要素と本発明の構成要素の対応関係を明らかにする。本実施形態において、ＨＰＦ１４ａとＬＰＦ１４ｂからなる回路、及びＬＰＦ１３ａはいずれも本発明のＢＳディジタル受信信号抽出手段に相当し、ミキサ１３ｃと局部発振器１３ｄ、ミキサ１４ｃと局部発振器１４ｄは、いずれも本発明の第１周波数変換手段に相当し、ミキサ１６ｃと局部発振器１６ｄは本発明の第２周波数変換手段に相当し、ＨＰＦ４１ａとＬＰＦ４１ｂからなる回路、及びＬＰＦ４０ａとＨＰＦ４０ｂからなる回路はいずれも本発明のＢＳ中間周波信号抽出手段に相当し、ミキサ４０ｃ，４１ｃ，局部発振器４０ｄ，４１ｄ，ＨＰＦ４０ｅ，４１ｆ，ＬＰＦ４０ｆ，４１ｅ，混合器３４により、本発明の第３中間周波信号抽出手段が構成される。
【００６４】
［第２実施形態］
まず、本実施形態のＣＡＴＶシステム全体の構成は、図１に示す第１実施形態のＣＡＴＶシステム１と同様である。そして、本実施形態においても、ＣＡＴＶセンター２が備えるＢＳディジタルダウンコンバータ１０と同様、ＢＳディジタル受信信号（ＢＳ−ＩＦ信号）をＵＨＦ帯のチャンネルＫ〜Ｎに周波数変換して伝送線１ａ上へ送出する。
【００６５】
ここで、本実施形態が第１実施形態と異なるのは、ＢＳ−ＩＦ信号からＵＨＦ帯のチャンネルＫ〜Ｎに周波数変換するまでの変換過程である。図５に、本実施形態のＢＳディジタルダウンコンバータ６０による周波数変換過程（ＢＳ−ＩＦ信号、第１ＢＳ中間周波信号、第２ＢＳ中間周波信号、及びＢＳディジタルアップコンバータ３０におけるＢＳ−ＩＦ信号の各周波数分布）を示し、図６に、本実施形態のＢＳディジタルダウンコンバータ６０の概略構成を示す。
【００６６】
図５に示す如く、本実施形態では、ＢＳディジタル放送４チャンネル分のＢＳ−ＩＦ信号を、まず、ＳＨＢ帯における連続した２チャンネルＡ，Ｂの第１ＢＳ中間周波信号に周波数変換する（変調極性は反転させている）。即ち、ＢＳ−１，３、及びＢＳ−１３，１５を、いずれもＳＨＢ帯のチャンネルＡ，Ｂに変換するのである。尚、変調極性を反転させているため、ＢＳ−１とＢＳ−１３がチャンネルＢに、ＢＳ−３とＢＳ−１５がチャンネルＡに変換されることになる。
【００６７】
そして、この周波数変換は、図６に示したＢＳディジタルダウンコンバータ６０における各ダウンコンバータユニット６１，６３により行われ、ダウンコンバータユニット６１ではＢＳ−１，３をＳＨＢ帯のチャンネルＢ，Ａに夫々変換し、ダウンコンバータユニット６３ではＢＳ−１３，１５をＳＨＢ帯のチャンネルＢ，Ａに夫々変換する。各ダウンコンバータユニット６１，６３の詳細構成は、図２に示したダウンコンバータユニット１３，１４と基本的に同様であり、周波数変換に用いる局部発振信号の周波数や各フィルタの通過可能帯域・カットオフ周波数が、それぞれ変換するチャンネルによって異なるだけであるため、その詳細説明を省略すると共に、図２と同じ構成要素には同一の符号を付してその説明を省略する。
【００６８】
続いて、チャンネルＡ，Ｂに変換された第１ＢＳ中間周波信号を、ＵＨＦ帯の４チャンネルＫ〜Ｎの第２ＢＳ中間周波信号に周波数変換（変調極性反転せず）して、端末側へ送出する。具体的には、ＢＳ−１，３に対応した第１ＢＳ中間周波信号は４６０．３２ＭＨｚの局部発振信号を用いて周波数変換し、ＢＳ−１３，１５に対応した第１ＢＳ中間周波信号は３８３．６ＭＨｚの局部発振信号を用いて周波数変換する。これにより、４チャンネル分のＢＳ−ＩＦ信号が、ＵＨＦ帯における連続した４つのチャンネルＫ〜Ｎに変換されることになる。
【００６９】
この第２ＢＳ中間周波信号への変換は、図６における各アップコンバータユニット６２，６４により行われ、アップコンバータユニット６２ではチャンネルＢ，Ａ（ＢＳ−１，３に対応）をＵＨＦ帯のチャンネルＮ，Ｍに夫々変換し、アップコンバータユニット６４ではチャンネルＢ，Ａ（ＢＳ−１３，１５に対応）をＵＨＦ帯のチャンネルＬ，Ｋに夫々変換する。各アップコンバータユニット６２，６４の詳細構成についても、図２に示したアップコンバータユニット１６と基本的に同様であるため、その詳細説明を省略する。
【００７０】
本実施形態によっても、ＢＳ−ＩＦ信号を一旦ＳＨＢ帯に周波数変換し、その後ＵＨＦ帯に変換して伝送線１ａ上に送出するようにしているため、第１実施形態のＣＡＴＶシステム１とほぼ同等の作用効果を奏する。但し、第１ＢＳ中間周波信号がチャンネルＡ，Ｂで重複しているため、それをそのまま一括してチャンネルＫ〜Ｎに変換することができず、チャンネルＫ〜Ｎへ変換するためのアップコンバータユニットが二つ必要となって、ＢＳディジタルダウンコンバータ６０の装置構成が多少複雑化する。
【００７１】
［第３実施形態］
本実施形態のＣＡＴＶシステム全体の構成も、図１に示す第１実施形態のＣＡＴＶシステム１と同様であり、ＣＡＴＶセンター２が備えるＢＳディジタルダウンコンバータ１０と同様、ＢＳディジタル受信信号（ＢＳ−ＩＦ信号）をＵＨＦ帯のチャンネルＫ〜Ｎに周波数変換して伝送線１ａ上へ送出する。
【００７２】
そして、本実施形態が第１実施形態と異なるのは、ＢＳ−ＩＦ信号からＵＨＦ帯のチャンネルＫ〜Ｎに周波数変換するまでの変換過程であり、既述の第２実施形態では４チャンネル分のＢＳ−ＩＦ信号をＳＨＢ帯の２つのチャンネルＡ，Ｂに一旦変換するようにしたのに対し、本実施形態では、同じくＳＨＢ帯の３つのチャンネルＡ，Ｂ，Ｃに一旦変換するようにしたものである。図７に、本実施形態のＢＳディジタルダウンコンバータ８０による周波数変換過程（周波数配列）を示し、図８に、本実施形態のＢＳディジタルダウンコンバータ８０の概略構成を示す。
【００７３】
図７に示す如く、本実施形態では、４チャンネル分のＢＳ−ＩＦ信号を、まず、ＳＨＢ帯における連続した２チャンネルＡ，Ｂ，Ｃの第１ＢＳ中間周波信号に周波数変換する（変調極性は反転させている）。即ち、ＢＳ−１，３をチャンネルＣ，Ｂに変換し、ＢＳ−１３，１５をチャンネルＢ，Ａに変換するのである。
【００７４】
そして、この周波数変換は、図８に示したＢＳディジタルダウンコンバータ８０における各ダウンコンバータユニット８１，８３により行われ、ダウンコンバータユニット８１ではＢＳ−１，３をＳＨＢ帯のチャンネルＣ，Ｂに夫々変換し、ダウンコンバータユニット８３ではＢＳ−１３，１５をＳＨＢ帯のチャンネルＢ，Ａに夫々変換する。各ダウンコンバータユニット８１，８３の詳細構成は、図６に示したダウンコンバータユニット６１，６３と基本的に同様であるためその詳細説明を省略する。
【００７５】
続いて、チャンネルＡ〜Ｃに変換された第１ＢＳ中間周波信号を、ＵＨＦ帯の４チャンネルＫ〜Ｎの第２ＢＳ中間周波信号に周波数変換（変調極性反転せず）して、端末側へ送出する。具体的には、ＢＳ−１，３に対応した第１ＢＳ中間周波信号は４２１．９６ＭＨｚの局部発振信号を用いて周波数変換し、ＢＳ−１３，１５に対応した第１ＢＳ中間周波信号は３８３．６ＭＨｚの局部発振信号を用いて周波数変換する。これにより、４チャンネル分のＢＳ−ＩＦ信号が、ＵＨＦ帯における連続した４つのチャンネルＫ〜Ｎに変換されることになる。
【００７６】
この第２ＢＳ中間周波信号への変換は、図８における各アップコンバータユニット８２，８４により行われ、アップコンバータユニット８２ではチャンネルＣ，Ｂ（ＢＳ−１，３に対応）をＵＨＦ帯のチャンネルＮ，Ｍに夫々変換し、アップコンバータユニット８４ではチャンネルＢ，Ａ（ＢＳ−１３，１５に対応）をＵＨＦ帯のチャンネルＬ，Ｋに夫々変換する。各アップコンバータユニット８２，８４の詳細構成についても、図６に示したアップコンバータユニット６２，６４１６と基本的に同様であるため、その詳細説明を省略する。
【００７７】
本実施形態によっても、第１ＢＳ中間周波信号をチャンネルＡ，ＢにするかチャンネルＡ〜Ｃにするかが異なることを除き、第２実施形態と同様の作用効果を奏する。
尚、本発明の実施の形態は、上記実施形態に何ら限定されるものではなく、本発明の技術的範囲に属する限り種々の形態を採り得ることはいうまでもない。
【００７８】
例えば、上記第１実施形態では、ＳＨＢ帯の第１ＢＳ中間周波信号からＵＨＦ帯の第２ＢＳ中間周波信号への周波数変換の際に変調極性を反転させることにより、負極性の状態で伝送線１ａ上に送出するようにしたが、これとは逆に、例えば図９に示すように、ＢＳ−ＩＦ信号から第１ＢＳ中間周波信号への周波数変換（但しチャンネルａ，Ａ，Ｂ，Ｃへの変換）の際に変調極性を反転させるようにしてもよい。このようにしても、上記第１実施形態とほぼ同等の作用効果を奏する。但しこの場合、第１ＢＳ中間周波信号から第２ＢＳ中間周波信号への周波数変換に使用する局部発振信号が４２１．９６となってＳＨＢ帯の中に存在することになるため、ＳＨＢ帯を他の放送信号伝送等に利用するにあたっては、この局部発振信号の周波数とかさならないように留意する必要がある。
【００７９】
また、上記第１実施形態では、第２ＢＳ中間周波信号がＵＨＦ帯のチャンネルＫ〜Ｎになるように周波数変換したが、このチャンネルに何ら限ることなく、例えば図１０に示すように、ＵＨＦ帯におけるチャンネルＧ〜Ｊの連続４チャンネルに周波数変換（局部発振信号は２３０．１６ＭＨｚ）するようにしてもよい。即ち、既述の通り、有料放送や自主放送、或いは地上波デジタル信号を例えばＵＨＦ帯のどのチャンネルを使用して伝送するかは、ＣＡＴＶ局によって異なる場合がある。そのため、チャンネルＫ〜Ｎに限ることなく、使用していないチャンネルであって連続したチャンネルが確保できればどのチャンネルを使用してもいい。
【００８０】
ＢＳ−ＩＦ信号から第１ＢＳ中間周波信号への周波数変換についても同様であり、上記実施形態ではＳＨＢ帯のチャンネルＡ〜Ｄの全て或いはその一部に変換するようにしたが、このチャンネルに何ら限ることはなく、ＵＨＦ帯より低い周波数（４７０ＭＨｚ未満）であって、第２ＢＳ中間周波信号への周波数変換に用いる局部発振信号と重複しない帯域であればどこでもいい。
【００８１】
更に、上記第１実施形態では、ＢＳディジタルダウンコンバータ１０において、各ミキサ１３ｃ，１４ｃ，１６ｃが周波数変換に使用する局部発振器を各ミキサ毎に夫々別個に設ける（局部発振器１３ｄ，１４ｄ，１６ｄ）ようにしたが、これに限らず、例えば高安定の基準発振器を一つ用い、ＰＬＬ（Phase Locked Loop）回路を介して複数の局部発振信号を生成するように構成しても良い。
【００８２】
即ち、基準発振器からの基準発振信号を適宜逓倍或いは分周して出力するように構成されたＰＬＬ回路（所謂ＰＬＬ周波数シンセサイザ）を、各ミキサ１３ｃ，１４ｃ，１６ｃに入力すべき局部発振信号毎に構成する。各ＰＬＬ回路に入力される基準発振信号はいずれも同じ一つの基準発振器から出力されるものである。
【００８３】
このように局部発振器をＰＬＬ回路で構成すれば、各ミキサ１３ｃ，１４ｃ，１６ｃ毎に局部発振器を設けるのに比べ、基準発振器が一つで済み、ＢＳディジタルダウンコンバータ１０のコストダウン、小型軽量化、更には低消費電力化が可能となり、延いてはＣＡＴＶシステム全体のコストダウンが可能となる。尚、ＢＳディジタルアップコンバータ３０についても同様であり、複数の局部発振器４０ｄ，４１ｄを用いる代わりに一つの基準発振器及びＰＬＬ回路により、各ミキサ４０ｃ，４１ｃに入力する局部発振信号を生成するようにしてもよい。
【００８４】
更にまた、上記実施形態では、ＢＳディジタルアップコンバータ３０が加入者宅１ｂ内に一台だけ設置されているものとして説明したが、家庭内に複数の端末装置（テレビ受信機８）を備えることも珍しくなくなってきている。その場合、各端末装置毎にＢＳディジタルアップコンバータ３０を設置するようにすると、端末装置の数だけ必要となり、経済的に大きな負担となる。
【００８５】
そこで、例えば図１１に示すように、端末装置を複数（例えば４台：図示せず）備えた加入者宅１１０においては、各端末端子Ｔ11〜Ｔ14の先に接続される端末装置毎にＢＳディジタルアップコンバータ３０を設けるのではなく、保安器６から加入者宅１１０内部に入ったところに一つだけ設けるようにしてもよい。つまり、保安器６を介して伝送されてきた伝送信号が加入者宅１１０内に入ったあと、分配器１１３にて複数の端末装置に分配される前に、ＢＳディジタルアップコンバータ３０を一台設けるのである。
【００８６】
このようにした場合、ＢＳディジタルアップコンバータ３０の出力端子Ｔ５から出力されるＢＳ−ＩＦ信号（ＢＳ−１，３，１３，１５）と、出力端子Ｔ４から出力され増幅器１１１にて増幅された地上波放送信号とを、混合器１１２にて混合して宅内に伝送し、分配器１１３にて４分配した後、各分配出力を夫々端末装置へ伝送する。
【００８７】
尚、図１１では加入者宅１１０内の伝送経路上にＢＳディジタルアップコンバータ３０を設けることを前提として説明したが、例えば外部の伝送線１ａ上におけるタップオフ５と保安器６との間に単独で設けるようにしてもよく、ＢＳディジタルアップコンバータ３０からの出力（地上波放送信号、ＢＳ−ＩＦ信号）を端末装置まで良好に伝送できる限りその設置場所は特に限定されない。
【００８８】
また、図１１では、ＢＳディジタルアップコンバータ３０や混合器１１２などの伝送機器が夫々別個に設置される例を示したが、例えば図１２に示したように、分配器１２２、増幅器１２３、混合器１２４を内蔵した一体型ＢＳディジタルアップコンバータ１２０として構成してもよい。
【００８９】
この一体型ＢＳディジタルアップコンバータ１２０では、ＣＡＴＶセンター２からの伝送信号が分配器１２２で２分配され、その分配出力のうち一つは増幅器１２３にて増幅された後混合器１２４へ入力され、もう一つの分配出力はアップコンバータ１２１にて第２ＢＳ中間周波信号が抽出され且つその第２ＢＳ中間周波信号が元のＢＳ−ＩＦ信号に変換されて、混合器１２４へ入力される。アップコンバータ１２１の内部構成は、図３で示したＢＳディジタルアップコンバータ３０において、地上波放送信号の伝送経路を省いたもの、即ち、分岐器３１及び出力端子Ｔ４がなく、入力端子Ｔ３からの入力が直接増幅器３２に入力され、最終的な出力（ＢＳ−ＩＦ信号）が出力端子Ｔ５から出力されるように構成すればよい。
【００９０】
尚、図１２では混合器１２４等を内蔵した一体型ＢＳディジタルアップコンバータ１２０を示したが、これに限らず、例えば保安器６の位置に、保安器６を内蔵したＢＳディジタルアップコンバータとして設置するようにしてもよく、どのような伝送機器を内蔵するかは任意に決めることができる。
【図面の簡単な説明】
【図１】  第１実施形態のＣＡＴＶシステムの概略構成を示すブロック図である
【図２】  第１実施形態のＢＳディジタルダウンコンバータの概略構成を示すブロック図である。
【図３】  第１実施形態のＢＳディジタルアップコンバータの概略構成を示すブロック図である。
【図４】  第１実施形態のＢＳディジタルダウンコンバータにおけるＢＳディジタル受信信号、第１ＢＳ中間周波信号、第２ＢＳ中間周波信号、及びＢＳディジタルアップコンバータにおける変換後のＢＳディジタル受信信号の周波数分布図である。
【図５】  第２実施形態のＢＳディジタルダウンコンバータにおけるＢＳディジタル受信信号、第１ＢＳ中間周波信号、第２ＢＳ中間周波信号、及びＢＳディジタルアップコンバータにおける変換後のＢＳディジタル受信信号の周波数分布図である。
【図６】  第２実施形態のＢＳディジタルダウンコンバータの概略構成を示すブロック図である。
【図７】  第３実施形態のＢＳディジタルダウンコンバータにおけるＢＳディジタル受信信号、第１ＢＳ中間周波信号、第２ＢＳ中間周波信号、及びＢＳディジタルアップコンバータにおける変換後のＢＳディジタル受信信号の周波数分布図である。
【図８】  第３実施形態のＢＳディジタルダウンコンバータの概略構成を示すブロック図である。
【図９】  第１実施形態のＢＳディジタルダウンコンバータにおけるＢＳディジタル受信信号、第１ＢＳ中間周波信号、第２ＢＳ中間周波信号、及びＢＳディジタルアップコンバータにおける変換後のＢＳディジタル受信信号の、他の周波数分布例を示す周波数分布図である。
【図１０】  第１実施形態のＢＳディジタルダウンコンバータにおけるＢＳディジタル受信信号、第１ＢＳ中間周波信号、第２ＢＳ中間周波信号、及びＢＳディジタルアップコンバータにおける変換後のＢＳディジタル受信信号の、他の周波数分布例を示す周波数分布図である。
【図１１】  加入者宅において複数の端末装置に対して一台のＢＳディジタルアップコンバータを設置した様子を示す説明図である。
【図１２】  混合器等を内蔵した一体型ＢＳディジタルアップコンバータを示す説明図である。
【図１３】  従来のダウンコンバータによる周波数変換の過程及び周波数配列を示す説明図である。
【図１４】  従来のダウンコンバータの概略構成を示す説明図である。
【符号の説明】
１…ＣＡＴＶシステム、１ａ…伝送線、１ｂ，１１０…加入者宅、２…ＣＡＴＶセンター、３…幹線増幅器、４…幹線分岐増幅器、５…タップオフ、６…保安器、７…ＢＳディジタルチューナー、８…テレビ受信機、９…ヘッドエンド装置、９ａ，９ｂ…アンテナ、１０，６０，８０…ＢＳディジタルダウンコンバータ、１０ａ…ＢＳディジタルアンテナ、１１，１３ｇ，１３ｋ，１４ｇ，１４ｋ，１６ｇ，３２…増幅器、１２，１３ｆ，１４ｆ，３３，１１３…分配器、１３，１４…ダウンコンバータユニット、１３ｃ，１４ｃ，１６ｃ，４０ｃ，４１ｃ…ミキサ、１３ｄ，１４ｄ，１６ｄ，４０ｄ，４１ｄ…局部発振器、１３ｈ，１３ｍ，１４ｈ，１４ｍ…ＳＡＷフィルタ、１３ｐ，１４ｐ，１５，３４，１１２，１２４…混合器、１６…アップコンバータユニット、１６ｈ…利得制御器、３０…ＢＳディジタルアップコンバータ、３１…分岐器、３５，３６…コイル、３７…コンデンサ、４０…アップコンバータユニット、４０ｃ…ミキサ、４０ｄ…局部発振器、４１…アップコンバータユニット、４１ｃ…ミキサ、４１ｄ…局部発振器、１２０…一体型ＢＳディジタルアップコンバータ、１２１…アップコンバータ
【図１】
0004608092.tif 000002
【図２】
0004608092.tif 000003
【図３】
0004608092.tif 000004
【図４】
0004608092.tif 000005
【図５】
0004608092.tif 000006
【図６】
0004608092.tif 000007
【図７】
0004608092.tif 000008
【図８】
0004608092.tif 000009
【図９】
0004608092.tif 000010
【図１０】
0004608092.tif 000011
【図１１】
0004608092.tif 000012
【図１２】
0004608092.tif 000013
【図１３】
0004608092.tif 000014
【図１４】
0004608092.tif 000015